(57)【要約】【課題】外観意匠の点からさらなる改良を図り、室内の雰囲気を様々に変化させることができるドアユニットを提供する。【解決手段】框材４及び該框材４で支持された透明又は半透明のパネル材５によって全体が構成される複合ドア２と、該複合ドア２を開閉自在に支持するドア枠３と、からなるドアユニット１であって、前記複合ドア２のパネル材５はその端面５Ａが露出するように配置され、前記ドア枠３には、前記複合ドア２が閉位置にある場合に、前記パネル材５の端面５Ａ側から該パネル材５の内部に向けて投光する発光部材１０が設けられていることを特徴とする。【選択図】図３
2011074644.tif 000002
【特許請求の範囲】
【請求項１】
框材及び該框材で支持された透明又は半透明のパネル材によって全体が構成される複合ドアと、該複合ドアを開閉自在に支持するドア枠と、からなるドアユニットであって、
前記複合ドアのパネル材はその端面が露出するように配置され、
前記ドア枠には、前記複合ドアが閉位置にある場合に、前記パネル材の端面側から該パネル材の内部に向けて投光する発光部材が設けられていることを特徴とするドアユニット。
【請求項２】
請求項１に記載のドアユニットにおいて、
前記複合ドアの框材及びパネル材は正面視矩形に形成され、
前記パネル材は、平行に配置された一対の前記框材間にて上下方向又は水平方向に配置されることを特徴とするドアユニット。
【請求項３】
請求項１又は２に記載のドアユニットにおいて、
前記発光部材は、非常時に点灯させることを特徴とするドアユニット。
【請求項４】
請求項１〜３のいずれかに記載のドアユニットにおいて、
前記複合ドアの端部に位置する框材とパネル材との接合箇所には、該パネル材を框材に固定するための補強部材が取り付けられ、
前記補強部材には、前記パネル材の端面を露出させて前記発光部材からの光線を通過させる開口部が形成されていることを特徴とするドアユニット。
【請求項５】
請求項１〜４のいずれかに記載のドアユニットにおいて、
前記複合ドアのパネル材は、ガラス、プラスチック等の透明又は半透明材料によって形成されていることを特徴とするドアユニット。
【請求項６】
請求項１〜５のいずれかに記載のドアユニットにおいて、
前記複合ドアの框材は木質材料により構成されていることを特徴とするドアユニット。
【発明の詳細な説明】
【技術分野】
【０００１】
本発明は、ガラス、プラスチック等からなるパネル板を内部に組み合わせた複合ドアを有するドアユニットに関する。
【背景技術】
【０００２】
従来、この種の複合ドアとして、特許文献１に示される「扉」、特許文献２に示される「複合ドア」が提供されている。
これら特許文献１・２に示されるドアは、中央でかつ上下方向に配置されたパネル板を、木製の框材で両側から挟み込んだ構成とされるものであって、前記パネル板として、ガラス板の他、ポリカーボネート樹脂、アクリル樹脂などからなるプラスチック板が使用される。また、このようなパネル材はクリアーな透明材の他に、着色された透明材が使用されることもある。
【先行技術文献】
【特許文献】
【０００３】
【特許文献１】特許第４０１１０４３号公報
【特許文献２】特許第３９５９６８５号公報
【発明の概要】
【発明が解決しようとする課題】
【０００４】
ところで、上記のように構成された複合ドアでは、ガラス等からなる透明なパネル材を、木製の框材で両側から挟み込んだだけの構成であり、外観意匠の点で改良の余地が残されていた。
【０００５】
この発明は、上述した事情に鑑みてなされたものであって、外観意匠の点からさらなる改良を図り、室内の雰囲気を様々に変化させることができるドアユニットの提供を目的とするものである。
【課題を解決するための手段】
【０００６】
上記目的を達成するために、この発明は以下の手段を提供している。
すなわち、請求項１の発明は、框材及び該框材で支持された透明又は半透明のパネル材によって全体が構成される複合ドアと、該複合ドアを開閉自在に支持するドア枠と、からなるドアユニットであって、前記複合ドアのパネル材はその端面が露出するように配置され、前記ドア枠には、前記複合ドアが閉位置にある場合に、前記パネル材の端面側から該パネル材の内部に向けて投光する発光部材が設けられていることを特徴とする。
【０００７】
請求項２の発明は、前記複合ドアの框材及びパネル材は正面視矩形に形成され、前記パネル材は、平行に配置された一対の前記框材間にて上下方向又は水平方向に配置されることを特徴とする。
【０００８】
請求項３の発明は、前記発光部材は、非常時に点灯させることを特徴とする。
【０００９】
請求項４の発明は、前記複合ドアの端部に位置する框材とパネル材との接合箇所には、該パネル材を框材に固定するための補強部材が取り付けられ、前記補強部材には、前記パネル材の端面を露出させて前記発光部材からの光線を通過させる開口部が形成されていることを特徴とする。
【００１０】
請求項５の発明は、前記複合ドアのパネル材は、ガラス、プラスチック等の透明又は半透明材料によって形成されていることを特徴とする。
【００１１】
請求項６の発明は、前記複合ドアの框材は木質材料により構成されていることを特徴とする。
【発明の効果】
【００１２】
本発明は、複合ドアが閉位置にある場合に、該複合ドアのパネル材の端面側から該パネル材の内部に向けて投光する発光部材をドア枠に設けたので、該発光部材から投光された光線が、透明又は半透明のパネル材の内部で直進又は反射しながら進行する。そして、このような光線によって、該パネル材の色が変化し、室内の雰囲気を様々に変化させることが可能となる。
【００１３】
また、複合ドアの框材及びパネル材を平面視、長方形等の矩形に形成し、かつ該パネル材を、平行に配置された一対の框材間にて上下方向又は水平方向に配置することによって、前記発光部材からパネル材に光線が投光された場合に、該パネル材を通じて、複合ドア内に上下方向、又は左右方向に光の帯を形成することができ、この点においても、室内の雰囲気を様々に変化させることが可能となる。
【００１４】
また、前記パネル材の端面側から該パネル材の内部に向けて光線を投射する発光部材を、例えば、非常時に自動点灯させることによって、非難時の誘導灯として活用することもできる他、使用目的に応じて、様々なサイン表示を行わせることが可能となる。
【００１５】
また、複合ドアの端部に位置する框材とパネル材との接合箇所に、該パネル材を框材に固定するための補強部材を取り付け、さらに該補強部材に、パネル材の端面を露出させて発光部材からの光線を通過させる開口部を形成することによって、複合ドアを構成している框材とパネル材との接合箇所の補強を図りつつ、開口部を通じて光線を通過させることができる。すなわち、複合ドアの端部を補強部材で強化したとしても、該補強部材の開口部を通じて、発光部材からの光線を支障なくパネル材に投光することが可能となる。
【図面の簡単な説明】
【００１６】
【図１】は、本発明の実施態様として示したドアユニットの概略正面図である。
【図２】は、図１のＩ−Ｉ線視断面図である。
【図３】は、図２のドアユニットの上部拡大図である。
【図４】は、補強部材の付近を示す斜視図である。
【図５】は、補強部材の変形例を示す斜視図である
【発明を実施するための形態】
【００１７】
本発明の一実施形態について図１〜図５を参照して説明する。
図１及び図２に符号１で示すものは本実施形態に係るドアユニットであって、複合ドア２と、該複合ドア２をヒンジ２Ａによって開閉自在に支持するドア枠３とから構成されている。
【００１８】
この複合ドア２は、木質材料から形成された一対の框材４と、該框材４で支持された透明又は半透明のパネル材５とによって全体形状が構成されるものであって、図１に示すように正面視、長方形（矩形）に形成されている。
また、この複合ドア２において、前記一対の框材４は上下方向に延在し、この一対の框材４が互いに間隔を置いて平行となるようにかつ、これら框材４間にて上下方向に向けてパネル材５が配置されており、該パネル材５は上端部及び下端部において、各端面５Ａ・５Ｂは露出するように設けられている。
【００１９】
なお、前記複合ドア２の框材４として、芯材が格子状に組まれかつその表面に板材が貼り合わされたフラッシュ構造体等が採用される。また、パネル材５として、透明又は半透明ガラス板、又はポリカーボネート、アクリルなどの透明又は半透明のプラスチック板が使用されている。また、框材４とパネル材５とは図示されていないが、框材４の側部に上下方向に形成された溝内に、パネル材５が嵌合される構造とされている。
【００２０】
また、前記複合ドア２の上端部及び下端部に位置する框材４とパネル材５との各接合箇所には、図２〜図４に示すように、一対の補強部材６が取り付けられている。これら補強部材６は、両端を各框材４にそれぞれネジ７によりネジ止めすることで（図４参照）、該框材４間にパネル５を支持する構成とされ、その中央部には、前記パネル材５を嵌合するとともに、該パネル材５の端面５Ａ・５Ｂを露出させて前記発光部材１０（後述する）からの光線を通過させる開口部６Ａが形成されている。
【００２１】
ドア枠３は、図１に示すように、上下方向に延在する桟３ａ、３ｂと水平方向に延在する上部の桟３ｃとが建物又は部屋の出入り口となる開口壁部Ｂに設けられている。桟３ａ〜３ｃが形成する開口部１１の上下方向の寸法は、複合ドア２の上下方向の長さ寸法よりも僅かに大寸法とされており、また開口部１１の左右方向の寸法は、複合ドア２の水平方向の長さ寸法よりも僅かに大寸法とされ、図２に示すように複合ドア２が閉位置にある場合に該複合ドア２が矢印Ｘ方向に開閉自在にドア枠３内に収まる寸法とされている。
【００２２】
このドア枠３の桟３ａ、３ｂ、３ｃには、図２に示すように、該複合ドア２をドア枠３内に位置させ、矢印Ｘと反対方向に回動しないように支持する凸条１２が、同一基準面上、すなわち複合ドア２の閉じた位置における面上に沿って延在するように形成されている。
【００２３】
このドア枠３の上部の桟３ｃには、凹所１３が形成されており、この凹所１３に発光部材１０が設けられている。この発光部材１０は、前記複合ドア２が閉位置にある場合に、下方に位置する前記パネル材５の上側端面５Ａ側から、該パネル材５の内部に向けて投光する。
【００２４】
そして、このように構成されたドアユニット１では、発光部材１０から発光された光線が、透明又は半透明のパネル材５の端部５Ａから入射して、該パネル材５の内部で直進又は反射しながら進行する。そして、このような光線によって、該パネル材５の色が変化し、室内の雰囲気を様々に変化させることが可能となる。
【００２５】
なお、このような発光部材１０は、複合ドア２が閉じた位置にあるか否かを開閉センサ（図示略）で検出し、この検出信号によって、複合ドア２が閉位置にある場合に、発光部材１０を常時又は一定時間（例えば１０分程度）点灯させるようにする。又は、このような自動点灯ではなく、スイッチによってオン・オフするようにしても良い。これに加えて停電等の異常が発生したときに、複合ドア２が開位置にあるか、閉位置にあるかに係らず、予備電源（図示略）により自動点灯するようにしても良い。
【００２６】
以上詳細に示したように本実施形態に示されるドアユニット１では、複合ドア２が閉位置にある場合に、該複合ドア２のパネル材５の上部端面５Ａ側から、該パネル材５の内部に向けて投光する発光部材１０をドア枠３に設けたので、該発光部材１０から投光された光線が、透明又は半透明のパネル材５の内部で反射しながら進行する。そして、このような光線によって、該パネル材５の色が変化し、室内の雰囲気を様々に変化させることが可能となる。
また、発光部材１０をドア枠３に設けたので、例えば複合ドア２のパネル材５が割れた場合などパネル材５又は複合ドア２を取り替える必要が生じた場合でも、発光部材１０の設置に影響を与えることなく、パネル材５又は複合ドア２を取り替えるだけでドアユニット１とすることが可能となる。
【００２７】
また、複合ドア２の框材４及びパネル材５を平面視、長方形等の矩形に形成し、かつ該パネル材５を、平行に配置された一対の框材４間にて上下方向に配置することによって、前記発光部材１０からパネル材５に光線が投光された場合に、該パネル材５を通じて、複合ドア２内に上下方向に光の帯を形成することができ、この点においても、室内の雰囲気を様々に変化させることが可能となる。
【００２８】
また、前記パネル材５の端面５Ａ側から該パネル材５の内部に向けて光線を投射する発光部材１０を、例えば、非常時に自動点灯させることによって、非難時の誘導灯として活用することもできる他、使用目的に応じて、様々なサイン表示を行わせることが可能となる。
【００２９】
また、複合ドア２の上下端部に位置する框材４とパネル材５との接合箇所に、該パネル材５を框材４に固定するための補強部材６を取り付け、さらに該補強部材６に、パネル材５の端面５Ａを露出させて発光部材１０からの光線を通過させる開口部６Ａを形成することによって、複合ドア２を構成している框材４とパネル材５との接合箇所の補強を図りつつ、開口部６Ａを通じて光線を通過させることができる。すなわち、複合ドア２の端部を補強部材６で強化したとしても、該補強部材６の開口部６Ａを通じて、発光部材１０からの光線を支障なくパネル材５に投光することが可能となる。
【００３０】
なお、上記実施形態によるドアユニットは、以下のように変形しても良い。
（変形例１）
図１〜図４に示される補強部材６は一定の厚みを有し、その中央に開口部６Ａが形成された構成であるが、これに限定されず、図５に示されるように薄厚の材料を用い、中央部に切り目を入れ、これを折れ線６Ｂで折り曲げて開くことで開口部６Ｃを形成し、この開口部６Ｃ内に、前述のパネル材５の端部を挿入すると良い。このとき、折れ線６Ｂで折り曲げることで形成された折曲部６Ｄは、挿入されたパネル材５を支持する支持部材として機能させると良い。
【００３１】
（変形例２）
上記実施形態では、複合ドア２の框材４を木質材料により構成したが、これに限定されず、プラスチック又は金属を框材４として使用しても良い。
【００３２】
（変形例３）
上記実施形態では、複合ドア２の框材４及びパネル材５は正面視、長方形状（矩形）に形成され、かつパネル材５を、互いに離間する位置に左右に平行に配置された一対の框材４間にて上下方向に延在するように構成したが、このような框材４及びパネル材５の配置方向に限定されず、パネル材５が水平に延在するように配置して、この上下に框材４を配置し、パネル材５が露出する端部に対応するドア枠３の位置に発光体を設けて、水平の光の帯を形成しても良い。また、複合ドア２の框材４及びパネル材５の形状は、正面視、長方形状に限定されず、複合ドア２の形態によっては正方形状となる場合もある。
【００３３】
（変形例４）
上記実施形態では、パネル材５の下側の端部５Ｂを、上側の端部５Ａと同様に外方に露出される構成とし、これによりパネル材５を通過した光線を床に向けて照射することができる。しかし、これに限定されず、例えば、パネル材５の下側の端部５Ｂに、パネル材５内を通過した光線を上方に反射させるための反射材を貼り付けるようにし、このような反射材によって、パネル材５内を通過する光線をさらに変化させるようにしても良い。
【００３４】
また、パネル材５となる透明又は半透明なガラス、プラスチックなどの構成材料内に、例えば、粉状の反射物質を混入させる、又は着色することで、透過する光の色を様々に変化させても良い。また、発光部材１０から照射される光線は多色ＬＥＤなどにより、様々な色の光が使用される他、点滅光であっても良い。
【００３５】
（変形例５）
上記実施形態では、補強部材６に一つの開口部６Ａ・６Ｃを設ける例を示したが、この開口部６Ａ・６Ｃの数は一つに限定されず、２つ以上の開口部を設けるようにしても良い。また、このような複数の開口部を形成するために、例えば、パネル材５の上側端部５Ａの表面を部分的にマスクしても良い。
【００３６】
（変形例６）
上記実施形態のドアユニット１は、複合ドア２とドア枠３との間に設けたヒンジ２Ａによって、ドア枠３に対して複合ドア２を回動自在に支持する形式であるが、これに限定されず、ドア枠３に対して複合ドア２をスライド自在に支持される引き戸型のドアユニットであっても良い。
【００３７】
（変形例７）
上記実施形態のドアユニット１では、框材４とパネル材５とを補強部材６により連結したが、強度上、問題ないのであれば、補強部材６を使用することなく、框材４とパネル材５とを接着剤で連結するようにしても良い。
また、本実施形態では、一対の框材４間にパネル材５を配置する構成としたが、これに限定されず、框材４とパネル材５とを１枚ずつ使用し、これらを隣接配置することで複合ドア２を構成しても良い。また、多数枚の框材４及びパネル材５を使用し、これらを交互に配置することにより複合ドア２を構成しても良い。
【００３８】
（変形例８）
上記実施形態のドアユニット１では、ドア枠３は、開口壁部Ｂに別途設けられた桟３ａ〜３ｃにより構成されるものとしたが、複合ドア２を開口部１１内に開閉自在に支持できる壁部により形成されるものとしても良く、更に凹所１３を形成できるものであれば良い。
【００３９】
以上、本発明の実施形態について図面を参照して詳述したが、具体的な構成はこの実施形態に限られるものではなく、本発明の要旨を逸脱しない範囲の設計変更等も含まれる。
【符号の説明】
【００４０】
１    ドアユニット
２    複合ドア
３    ドア枠
４    框材
５    パネル材
６    補強部材
１０  発光部材
【図１】
2011074644.tif 000003
【図２】
2011074644.tif 000004
【図３】
2011074644.tif 000005
【図４】
2011074644.tif 000006
【図５】
2011074644.tif 000007